(57)【要約】【課題】本発明は小分けボトル貯蔵設備を開示した。【解決手段】箱を含み、伝動により第一伝動ロッドを回転連動させ、平行移動ブロックとスライドブロックを上に移動させ、、固定機構の中の引っ掛かりブロックが第一バネにより小分けボトルを固定し、分けボトルが携帯されるときに揺れないことを保証し、移動機構の中の平行移動ブロックが蓋板の開けとともに移動し、小分けボトルを押し動かして上に移動させ、小分けボトルを外部に出し、正確に取りたい小分けボトルを取ることができ、水出し機構の中に押し動かし板にを押し動かし、小分けボトルから流れ出た液体をきれいにクリーニングできる。【選択図】図１
2020179930.tif 000002
【特許請求の範囲】
【請求項１】
正面視で、箱を含み、前記箱の中には移動チャンバが設けられ、前記移動チャンバの中には小分けボトルを移動連動させることができる移動機構が設けられ、前記移動機構の上方には小分けボトルを固定できる固定機構が設けられ、前記固定機構の中には固定チャンバが設けられ、前記固定チャンバの底壁の中には引っ掛かり溝が連通するように設けられ、前記引っ掛かり溝の左側にはバネチャンバが連通するように設けられ、前記固定機構の右側には設備をロックできるロック機構が設けられ、前記ロック機構の中には挿し板が設けられ、前記挿し板の中には挿し溝が設けられ、前記移動チャンバの下方には小分けボトルから流れ出た液体を保存できる水出し機構が設けられ、前記水出し機構の中には出し孔が設けられ、前記出し孔の左側には位置制限溝が連通するように設けられ、前記出し孔の右側には押し動かしチャンバが連通するように設けられることを特徴とする小分けボトル貯蔵設備。
【請求項２】
前記移動機構は前記移動チャンバの前後内壁の間に回転できるように取り付けられた第二伝動ロッドを含み、前記移動チャンバの後側には伝動チャンバが設けられ、前記伝動チャンバと前記移動チャンバとの間には第一伝動ロッドが回転できるように取り付けられ、前記第一伝動ロッドと前記第二伝動ロッドとには連結板が固定的に取り付けられ、前記連結板の前側端面には移動ロッドが回転できるように取り付けられ、左右の前記移動ロッドの間には連結ロッドが固定的に取り付けられ、前記連結板の後側端面には押しロッドが回転できるように取り付けられ、前記押しロッドには平行移動ブロックが固定的に取り付けられ、前記移動チャンバの左右内壁にはスライドレールが固定的に取り付けられ、左右の前記スライドレールの間にはスライド箱がスライドできるように取り付けられ、前記スライド箱の中には下方に開口した平行移動溝が設けられ、前記平行移動溝の上方にはスライド溝が連通するように設けられ、前記平行移動ブロックと前記平行移動溝とがスライドできるように連結され、前記スライド溝の中にはスライドブロックがスライドできるように取り付けられ、前記スライドブロックと前記平行移動ブロックとが固定的に連結され、前記第一伝動ロッドの後側端面には第二歯車が固定的に取り付けられ、前記箱の中には回転チャンバが設けられ、前記回転チャンバと前記伝動チャンバとの間には回転ロッドが回転できるように取り付けられ、前記回転ロッドの後側端面には第一歯車が固定的に取り付けられ、前記第一歯車と前記第二歯車との間にはチェーンが伝動できるように取り付けられ、前記回転ロッドには回転ブロックが固定的に取り付けられ、前記箱の左側端面と右側端面との間には引きベルトが固定的に取り付けられることを特徴とする請求項１に記載の小分けボトル貯蔵設備。
【請求項３】
前記固定機構は前記スライド箱の中に設けられた上方に開口した固定チャンバを含み、前記バネチャンバの中には引っ掛かりブロックがスライドできるように取り付けられ、前記引っ掛かりブロックの左側端面と前記バネチャンバの左側内壁との間には第一バネが固定的に取り付けられ、前記スライド箱の頂部端面にはフォームボードが固定的に取り付けられ、前記フォームボードの中には抜き穴が設けられることを特徴とする請求項１に記載の小分けボトル貯蔵設備。
【請求項４】
前記ロック機構は前記箱の右側端面に固定的に取り付けられた制限ブロックを含み、前記制限ブロックの右側端面にはねじりブロックが回転できるように取り付けられ、前記回転ブロックの頂部端面には蓋板が固定的に取り付けられ、前記蓋板の中には下方に開口した蓋板チャンバが設けられ、前記蓋板チャンバの頂壁の中には仕切り溝が設けられ、前記蓋板の頂部端面には押しブロックが固定的に取り付けられ、前記蓋板の右側端面には補助ブロックが前後に対称的に固定的に取り付けられ、前記補助ブロックの間には補助ロッドが回転できるように取り付けられ、前記挿し板が前記補助ロッドに固定的に取り付けられることを特徴とする請求項１に記載の小分けボトル貯蔵設備。
【請求項５】
前記水出し機構は前記位置制限溝と前記押し動かしチャンバとの間にスライドできるように取り付けられた押し動かし板を含み、前記押し動かし板の右側端面と前記押し動かしチャンバの右側内壁との間には第二バネが固定的に取り付けられ、前記押し動かし板の底部端面には動かしブロックが固定的に取り付けられ、前記動かしブロックの中には下方に開口した動かし溝が設けられることを特徴とする請求項１に記載の小分けボトル貯蔵設備。
【発明の詳細な説明】
【技術分野】
【０００１】
本発明は貯蔵分野を取り上げて、具体的には小分けボトル貯蔵設備である。
【背景技術】
【０００２】
大量の小分けボトルを携帯する時、小分けボトル貯蔵設備が必要とされ、現有の技術の中、一般的な小分けボトル貯蔵設備は小分けボトルを取る時や入れる時、小分けボトルがまだ設備の中あるため、小分けボトルの種類をはっきりとして見ることができなく、小分けボトルを置く時、小分けボトルを固定することができなく、携帯する時小分けボトルが揺れてダメージを受けることを招き、小分けボトルの中の液体が流れ出た時、設備の中の液体をきれいにクリーニングできなく、危険性があり、従って、設備を開ける時、小分けボトルを外部に出し、小分けボトルが固定されて揺れないことを保証し、また流れ出た液体を処理できる小分けボトル貯蔵設備が必要とされる。
【先行技術文献】
【特許文献】
【０００３】
【特許文献１】中国特許出願公開第102582996号明細書
【発明の概要】
【発明が解決しようとする課題】
【０００４】
本発明の目的は小分けボトル貯蔵設備を提供し、それは上記の現在の技術中の問題を解決できる。
【課題を解決するための手段】
【０００５】
本発明の小分けボトル貯蔵設備は、箱を含み、前記箱の中には移動チャンバが設けられ、前記移動チャンバの中には小分けボトルを移動連動させることができる移動機構が設けられ、前記移動機構の上方には小分けボトルを固定できる固定機構が設けられ、前記固定機構の中には固定チャンバが設けられ、前記固定チャンバの底壁の中には引っ掛かり溝が連通するように設けられ、前記引っ掛かり溝の左側にはバネチャンバが連通するように設けられ、前記固定機構の右側には設備をロックできるロック機構が設けられ、前記ロック機構の中には挿し板が設けられ、前記挿し板の中には挿し溝が設けられ、前記移動チャンバの下方には小分けボトルから流れ出た液体を保存できる水出し機構が設けられ、前記水出し機構の中には出し孔が設けられ、前記出し孔の左側には位置制限溝が連通するように設けられ、前記出し孔の右側には押し動かしチャンバが連通するように設けられる。
【０００６】
更の技術プラン、前記移動機構は前記移動チャンバの前後内壁の間に回転できるように取り付けられた第二伝動ロッドを含み、前記移動チャンバの後側には伝動チャンバが設けられ、前記伝動チャンバと前記移動チャンバとの間には第一伝動ロッドが回転できるように取り付けられ、前記第一伝動ロッドと前記第二伝動ロッドとには連結板が固定的に取り付けられ、前記連結板の前側端面には移動ロッドが回転できるように取り付けられ、左右の前記移動ロッドの間には連結ロッドが固定的に取り付けられ、前記連結板の後側端面には押しロッドが回転できるように取り付けられ、前記押しロッドには平行移動ブロックが固定的に取り付けられ、前記移動チャンバの左右内壁にはスライドレールが固定的に取り付けられ、左右の前記スライドレールの間にはスライド箱がスライドできるように取り付けられ、前記スライド箱の中には下方に開口した平行移動溝が設けられ、前記平行移動溝の上方にはスライド溝が連通するように設けられ、前記平行移動ブロックと前記平行移動溝とがスライドできるように連結され、前記スライド溝の中にはスライドブロックがスライドできるように取り付けられ、前記スライドブロックと前記平行移動ブロックとが固定的に連結され、前記第一伝動ロッドの後側端面には第二歯車が固定的に取り付けられ、前記箱の中には回転チャンバが設けられ、前記回転チャンバと前記伝動チャンバとの間には回転ロッドが回転できるように取り付けられ、前記回転ロッドの後側端面には第一歯車が固定的に取り付けられ、前記第一歯車と前記第二歯車との間にはチェーンが伝動できるように取り付けられ、前記回転ロッドには回転ブロックが固定的に取り付けられ、前記箱の左側端面と右側端面との間には引きベルトが固定的に取り付けられる。
【０００７】
更の技術プラン、前記固定機構は前記スライド箱の中に設けられた上方に開口した固定チャンバを含み、前記バネチャンバの中には引っ掛かりブロックがスライドできるように取り付けられ、前記引っ掛かりブロックの左側端面と前記バネチャンバの左側内壁との間には第一バネが固定的に取り付けられ、前記スライド箱の頂部端面にはフォームボードが固定的に取り付けられ、前記フォームボードの中には抜き穴が設けられる。
【０００８】
更の技術プラン、前記ロック機構は前記箱の右側端面に固定的に取り付けられた制限ブロックを含み、前記制限ブロックの右側端面にはねじりブロックが回転できるように取り付けられ、前記回転ブロックの頂部端面には蓋板が固定的に取り付けられ、前記蓋板の中には下方に開口した蓋板チャンバが設けられ、前記蓋板チャンバの頂壁の中には仕切り溝が設けられ、前記蓋板の頂部端面には押しブロックが固定的に取り付けられ、前記蓋板の右側端面には補助ブロックが前後に対称的に固定的に取り付けられ、前記補助ブロックの間には補助ロッドが回転できるように取り付けられ、前記挿し板が前記補助ロッドに固定的に取り付けられる。
【０００９】
更の技術プラン、前記水出し機構は前記位置制限溝と前記押し動かしチャンバとの間にスライドできるように取り付けられた押し動かし板を含み、前記押し動かし板の右側端面と前記押し動かしチャンバの右側内壁との間には第二バネが固定的に取り付けられ、前記押し動かし板の底部端面には動かしブロックが固定的に取り付けられ、前記動かしブロックの中には下方に開口した動かし溝が設けられる。
【発明の効果】
【００１０】
本発明は構造が簡単で、操作が便利であり、固定機構の中の引っ掛かりブロックが第一バネにより小分けボトルを固定し、小分けボトルが抜き穴により、小分けボトルが携帯されるときに揺れないことを保証し、移動機構の中の平行移動ブロックが蓋板の開けとともに移動し、小分けボトルを押し動かして上に移動させ、小分けボトルを外部に出し、正確に取りたい小分けボトルを取ることができ、水出し機構の中に押し動かし板にを押し動かし、小分けボトルから流れ出た液体をきれいにクリーニングでき、普及価値がある。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の構成略図
【図２】図２は図１のＡ−Ａの断面構成略図
【図３】図３は図１のＢの拡大略図
【図４】図４は図１のＣの拡大略図
【発明を実施するための形態】
【００１３】
図１〜４を参照し、本発明の小分けボトル貯蔵設備は、箱５７を含み、前記箱５７の中には移動チャンバ３０が設けられ、前記移動チャンバ３０の中には小分けボトル５８を移動連動させることができる移動機構７０が設けられ、前記移動機構７０の上方には小分けボトル５８を固定できる固定機構１００が設けられ、前記固定機構１００の中には固定チャンバ３１が設けられ、前記固定チャンバ３１の底壁の中には引っ掛かり溝４７が連通するように設けられ、前記引っ掛かり溝４７の左側にはバネチャンバ４６が連通するように設けられ、前記固定機構１００の右側には設備をロックできるロック機構８０が設けられ、前記ロック機構８０の中には挿し板３５が設けられ、前記挿し板３５の中には挿し溝３２が設けられ、前記移動チャンバ３０の下方には小分けボトル５８から流れ出た液体を保存できる水出し機構９０が設けられ、前記水出し機構９０の中には出し孔５３が設けられ、前記出し孔５３の左側には位置制限溝５０が連通するように設けられ、前記出し孔５３の右側には押し動かしチャンバ５４が連通するように設けられる。
【００１４】
有益的には、前記移動機構７０は前記移動チャンバ３０の前後内壁の間に回転できるように取り付けられた第二伝動ロッド２８を含み、前記移動チャンバ３０の後側には伝動チャンバ４１が設けられ、前記伝動チャンバ４１と前記移動チャンバ３０との間には第一伝動ロッド２３が回転できるように取り付けられ、前記第一伝動ロッド２３と前記第二伝動ロッド２８とには連結板２１が固定的に取り付けられ、前記連結板２１の前側端面には移動ロッド２２が回転できるように取り付けられ、左右の前記移動ロッド２２の間には連結ロッド２５が固定的に取り付けられ、前記連結板２１の後側端面には押しロッド２４が回転できるように取り付けられ、前記押しロッド２４には平行移動ブロック２０が固定的に取り付けられ、前記移動チャンバ３０の左右内壁にはスライドレール１８が固定的に取り付けられ、左右の前記スライドレール１８の間にはスライド箱１９がスライドできるように取り付けられ、前記スライド箱１９の中には下方に開口した平行移動溝２７が設けられ、前記平行移動溝２７の上方にはスライド溝２６が連通するように設けられ、前記平行移動ブロック２０と前記平行移動溝２７とがスライドできるように連結され、前記スライド溝２６の中にはスライドブロック２９がスライドできるように取り付けられ、前記スライドブロック２９と前記平行移動ブロック２０とが固定的に連結され、前記第一伝動ロッド２３の後側端面には第二歯車４４が固定的に取り付けられ、前記箱５７の中には回転チャンバ４５が設けられ、前記回転チャンバ４５と前記伝動チャンバ４１との間には回転ロッド４０が回転できるように取り付けられ、前記回転ロッド４０の後側端面には第一歯車４２が固定的に取り付けられ、前記第一歯車４２と前記第二歯車４４との間にはチェーン４３が伝動できるように取り付けられ、前記回転ロッド４０には回転ブロック３９が固定的に取り付けられ、前記箱５７の左側端面と右側端面との間には引きベルト１５が固定的に取り付けられ、これにより回転ブロック３９を回転させて回転ロッド４０を回転連動させ、回転ロッド４０が回転して第一歯車４２を回転連動させ、第一歯車４２がチェーン４３の伝動により第二歯車４４を回転連動させ、第二歯車４４が回転して第一伝動ロッド２３を回転連動させ、第一伝動ロッド２３が回転して連結ロッド２５を移動連動させ、平行移動ブロック２０とスライドブロック２９を押し動かして上に移動させる。
【００１５】
有益的には、前記固定機構１００は前記スライド箱１９の中に設けられた上方に開口した固定チャンバ３１を含み、前記バネチャンバ４６の中には引っ掛かりブロック４８がスライドできるように取り付けられ、前記引っ掛かりブロック４８の左側端面と前記バネチャンバ４６の左側内壁との間には第一バネ４９が固定的に取り付けられ、前記スライド箱１９の頂部端面にはフォームボード１７が固定的に取り付けられ、前記フォームボード１７の中には抜き穴１６が設けられ、これにより小分けボトル５８が抜き穴１６を経由して固定チャンバ３１に入り、引っ掛かり溝４７の中で引っ掛かりブロック４８を左へ押し動かして移動させ、第一バネ４９により小分けボトル５８を押して固定する。
【００１６】
有益的には、前記ロック機構８０は前記箱５７の右側端面に固定的に取り付けられた制限ブロック３３を含み、前記制限ブロック３３の右側端面にはねじりブロック３４が回転できるように取り付けられ、前記回転ブロック３９の頂部端面には蓋板１４が固定的に取り付けられ、前記蓋板１４の中には下方に開口した蓋板チャンバ１２が設けられ、前記蓋板チャンバ１２の頂壁の中には仕切り溝１３が設けられ、前記蓋板１４の頂部端面には押しブロック１１が固定的に取り付けられ、前記蓋板１４の右側端面には補助ブロック３７が前後に対称的に固定的に取り付けられ、前記補助ブロック３７の間には補助ロッド３６が回転できるように取り付けられ、前記挿し板３５が前記補助ロッド３６に固定的に取り付けられ、これにより挿し板３５を回転させ、挿し溝３２が制限ブロック３３によりねじりブロック３４を回転させ、蓋板１４をロックする。
【００１７】
有益的には、前記水出し機構９０は前記位置制限溝５０と前記押し動かしチャンバ５４との間にスライドできるように取り付けられた押し動かし板５６を含み、前記押し動かし板５６の右側端面と前記押し動かしチャンバ５４の右側内壁との間には第二バネ５５が固定的に取り付けられ、前記押し動かし板５６の底部端面には動かしブロック５１が固定的に取り付けられ、前記動かしブロック５１の中には下方に開口した動かし溝５２が設けられ、これにより動かしブロック５１を動かし、動かし板５６を右へ移動連動させ、液体が出し孔５３から流れ出ることができる。
【００１８】
使用する時、押しブロックを使用して蓋板１４を開け、回転ブロック３９を回転連動させ、回転ブロック３９が回転して回転ロッド４０を回転連動させ、回転ロッド４０が回転して第一歯車４２を回転連動させ、第一歯車４２がチェーン４３の伝動により第二歯車４４を回転連動させ、第二歯車４４が回転して第一伝動ロッド２３を回転連動させ、第一伝動ロッド２３が回転して連結ロッド２５を移動連動させ、平行移動ブロック２０とスライドブロック２９を押し動かして上に移動させ、スライド箱１９を上へ移動させ、小分けボトル５８が抜き穴１６を経由して固定チャンバ３１に入り、引っ掛かり溝４７の中で引っ掛かりブロック４８を左へ押し動かして移動させ、第一バネ４９により小分けボトル５８を押して固定し、挿し板３５を回転させ、挿し溝３２が制限ブロック３３によりねじりブロック３４を回転させ、蓋板１４をロックし、小分けボトルに液体が流れ出る時、動かしブロック５１を動かし、動かし板５６を右へ移動連動させ、液体が出し孔５３から流れ出ることができ、引きベルト１５を使用して設備を持ち上げることができる。
【００１９】
本発明の有益効果は、本発明は構造が簡単で、操作が便利であり、固定機構の中の引っ掛かりブロックが第一バネにより小分けボトルを固定し、小分けボトルが抜き穴により、小分けボトルが携帯されるときに揺れないことを保証し、移動機構の中の平行移動ブロックが蓋板の開けとともに移動し、小分けボトルを押し動かして上に移動させ、小分けボトルを外部に出し、正確に取りたい小分けボトルを取ることができ、水出し機構の中に押し動かし板にを押し動かし、小分けボトルから流れ出た液体をきれいにクリーニングでき、普及価値がある。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179930.tif 000003
【図２】
2020179930.tif 000004
【図３】
2020179930.tif 000005
【図４】
2020179930.tif 000006
【手続補正書】
【提出日】令和1年11月16日(2019.11.16)
【手続補正１】
【補正対象書類名】特許請求の範囲
【補正対象項目名】全文
【補正方法】変更
【補正の内容】
【特許請求の範囲】
【請求項１】
正面視で、箱を含み、前記箱の中には移動チャンバが設けられ、前記移動チャンバの中には小分けボトルを移動連動させることができる移動機構が設けられ、前記移動機構の上方には小分けボトルを固定できる固定機構が設けられ、前記固定機構の中には固定チャンバが設けられ、前記固定チャンバの底壁の中には引っ掛かり溝が連通するように設けられ、前記引っ掛かり溝の左側にはバネチャンバが連通するように設けられ、前記固定機構の右側にはロック機構が設けられ、前記ロック機構の中には挿し板が設けられ、前記挿し板の中には挿し溝が設けられ、前記移動チャンバの下方には液体を流れ出させる水出し機構が設けられ、前記水出し機構の中には出し孔が設けられ、前記出し孔の左側には位置制限溝が連通するように設けられ、前記出し孔の右側には押し動かしチャンバが連通するように設けられ、
前記移動機構は前記移動チャンバの前後内壁の間に回転できるように取り付けられた第二伝動ロッドを含み、前記移動チャンバの後側には伝動チャンバが設けられ、前記伝動チャンバと前記移動チャンバとの間には第一伝動ロッドが回転できるように取り付けられ、前記第一伝動ロッドと前記第二伝動ロッドとには連結板が固定的に取り付けられ、前記連結板の前側端面には移動ロッドが回転できるように取り付けられ、左右両側の前記移動ロッドの間には連結ロッドが固定的に取り付けられ、前記連結板の後側端面には押しロッドが回転できるように取り付けられ、前記押しロッドには平行移動ブロックが固定的に取り付けられ、前記移動チャンバの左右内壁にはスライドレールが固定的に取り付けられ、左右両側の前記スライドレールの間にはスライド箱がスライドできるように取り付けられ、前記スライド箱の中には下方に開口した平行移動溝が設けられ、前記平行移動溝の上方にはスライド溝が連通するように設けられ、前記平行移動ブロックが前記平行移動溝に対してスライドできるように連結され、前記スライド溝の中にはスライドブロックがスライドできるように取り付けられ、前記スライドブロックと前記平行移動ブロックとが固定的に連結され、前記第一伝動ロッドの後側端面には第二歯車が固定的に取り付けられ、前記箱の左上側には回転チャンバが設けられ、前記回転チャンバと前記伝動チャンバとの間には回転ロッドが回転できるように取り付けられ、前記回転ロッドの後側端面には第一歯車が固定的に取り付けられ、前記第一歯車と前記第二歯車との間にはチェーンが伝動できるように取り付けられ、前記回転ロッドには回転ブロックが固定的に取り付けられ、前記箱の左側端面と右側端面との間には引きベルトが固定的に取り付けられ、
前記固定機構は前記スライド箱の中に設けられた上方に開口した固定チャンバを含み、前記バネチャンバの中には引っ掛かりブロックがスライドできるように取り付けられ、前記引っ掛かりブロックの左側端面と前記バネチャンバの左側内壁との間には第一バネが固定的に取り付けられ、前記スライド箱の頂部端面にはフォームボードが固定的に取り付けられ、前記フォームボードの中には抜き穴が設けられ、
前記ロック機構は前記箱の右側端面に固定的に取り付けられた制限ブロックを含み、前記制限ブロックの右側端面にはねじりブロックが回転できるように取り付けられ、前記回転ブロックの頂部端面には蓋板が固定的に取り付けられ、前記蓋板の中には下方に開口した蓋板チャンバが設けられ、前記蓋板チャンバの頂壁の中には仕切り溝が設けられ、前記蓋板の頂部端面には押しブロックが固定的に取り付けられ、前記蓋板の右側端面には補助ブロックが前後に対称的に固定的に取り付けられ、前記補助ブロックの間には補助ロッドが回転できるように取り付けられ、前記挿し板が前記補助ロッドに固定的に取り付けられ、
前記水出し機構は前記位置制限溝と前記押し動かしチャンバとの間にスライドできるように取り付けられた押し動かし板を含み、前記押し動かし板の右側端面と前記押し動かしチャンバの右側内壁との間には第二バネが固定的に取り付けられ、前記押し動かし板の底部端面には動かしブロックが固定的に取り付けられ、前記動かしブロックの中には下方に開口した動かし溝が設けられることを特徴とする小分けボトル貯蔵設備。
【手続補正２】
【補正対象書類名】明細書
【補正対象項目名】全文
【補正方法】変更
【補正の内容】
【発明の詳細な説明】
【技術分野】
【０００１】
本発明は貯蔵分野を取り上げて、具体的には小分けボトル貯蔵設備である。
【背景技術】
【０００２】
大量の小分けボトルを携帯する時、小分けボトル貯蔵設備が必要とされ、現有の技術の中、一般的な小分けボトル貯蔵設備は小分けボトルを取る時や入れる時、小分けボトルがまだ設備の中あるため、小分けボトルの種類をはっきりとして見ることができなく、小分けボトルを置く時、小分けボトルを固定することができなく、携帯する時小分けボトルが揺れてダメージを受けることを招き、小分けボトルの中の液体が流れ出た時、設備の中の液体をきれいにクリーニングできなく、危険性があり、従って、設備を開ける時、小分けボトルを外部に出し、小分けボトルが固定されて揺れないことを保証し、また流れ出た液体を処理できる小分けボトル貯蔵設備が必要とされる。
【先行技術文献】
【特許文献】
【０００３】
【特許文献１】中国特許出願公開第１０２５８２９９６号号明細書
【発明の概要】
【発明が解決しようとする課題】
【０００４】
本発明の目的は小分けボトル貯蔵設備を提供し、それは上記の現在の技術中の問題を解決できる。
【課題を解決するための手段】
【０００５】
本発明の小分けボトル貯蔵設備は、箱を含み、前記箱の中には移動チャンバが設けられ、前記移動チャンバの中には小分けボトルを移動連動させることができる移動機構が設けられ、前記移動機構の上方には小分けボトルを固定できる固定機構が設けられ、前記固定機構の中には固定チャンバが設けられ、前記固定チャンバの底壁の中には引っ掛かり溝が連通するように設けられ、前記引っ掛かり溝の左側にはバネチャンバが連通するように設けられ、前記固定機構の右側にはロック機構が設けられ、前記ロック機構の中には挿し板が設けられ、前記挿し板の中には挿し溝が設けられ、前記移動チャンバの下方には液体を流れ出させる水出し機構が設けられ、前記水出し機構の中には出し孔が設けられ、前記出し孔の左側には位置制限溝が連通するように設けられ、前記出し孔の右側には押し動かしチャンバが連通するように設けられる。
【０００６】
更の技術プラン、前記移動機構は前記移動チャンバの前後内壁の間に回転できるように取り付けられた第二伝動ロッドを含み、前記移動チャンバの後側には伝動チャンバが設けられ、前記伝動チャンバと前記移動チャンバとの間には第一伝動ロッドが回転できるように取り付けられ、前記第一伝動ロッドと前記第二伝動ロッドとには連結板が固定的に取り付けられ、前記連結板の前側端面には移動ロッドが回転できるように取り付けられ、左右両側の前記移動ロッドの間には連結ロッドが固定的に取り付けられ、前記連結板の後側端面には押しロッドが回転できるように取り付けられ、前記押しロッドには平行移動ブロックが固定的に取り付けられ、前記移動チャンバの左右内壁にはスライドレールが固定的に取り付けられ、左右両側の前記スライドレールの間にはスライド箱がスライドできるように取り付けられ、前記スライド箱の中には下方に開口した平行移動溝が設けられ、前記平行移動溝の上方にはスライド溝が連通するように設けられ、前記平行移動ブロックが前記平行移動溝に対してスライドできるように連結され、前記スライド溝の中にはスライドブロックがスライドできるように取り付けられ、前記スライドブロックと前記平行移動ブロックとが固定的に連結され、前記第一伝動ロッドの後側端面には第二歯車が固定的に取り付けられ、前記箱の左上側には回転チャンバが設けられ、前記回転チャンバと前記伝動チャンバとの間には回転ロッドが回転できるように取り付けられ、前記回転ロッドの後側端面には第一歯車が固定的に取り付けられ、前記第一歯車と前記第二歯車との間にはチェーンが伝動できるように取り付けられ、前記回転ロッドには回転ブロックが固定的に取り付けられ、前記箱の左側端面と右側端面との間には引きベルトが固定的に取り付けられる。
【０００７】
更の技術プラン、前記固定機構は前記スライド箱の中に設けられた上方に開口した固定チャンバを含み、前記バネチャンバの中には引っ掛かりブロックがスライドできるように取り付けられ、前記引っ掛かりブロックの左側端面と前記バネチャンバの左側内壁との間には第一バネが固定的に取り付けられ、前記スライド箱の頂部端面にはフォームボードが固定的に取り付けられ、前記フォームボードの中には抜き穴が設けられる。
【０００８】
更の技術プラン、前記ロック機構は前記箱の右側端面に固定的に取り付けられた制限ブロックを含み、前記制限ブロックの右側端面にはねじりブロックが回転できるように取り付けられ、前記回転ブロックの頂部端面には蓋板が固定的に取り付けられ、前記蓋板の中には下方に開口した蓋板チャンバが設けられ、前記蓋板チャンバの頂壁の中には仕切り溝が設けられ、前記蓋板の頂部端面には押しブロックが固定的に取り付けられ、前記蓋板の右側端面には補助ブロックが前後に対称的に固定的に取り付けられ、前記補助ブロックの間には補助ロッドが回転できるように取り付けられ、前記挿し板が前記補助ロッドに固定的に取り付けられる。
【０００９】
更の技術プラン、前記水出し機構は前記位置制限溝と前記押し動かしチャンバとの間にスライドできるように取り付けられた押し動かし板を含み、前記押し動かし板の右側端面と前記押し動かしチャンバの右側内壁との間には第二バネが固定的に取り付けられ、前記押し動かし板の底部端面には動かしブロックが固定的に取り付けられ、前記動かしブロックの中には下方に開口した動かし溝が設けられる。
【発明の効果】
【００１０】
本発明は構造が簡単で、操作が便利であり、固定機構の中の引っ掛かりブロックが第一バネにより小分けボトルを固定し、小分けボトルが抜き穴により、小分けボトルが携帯されるときに揺れないことを保証し、移動機構の中の平行移動ブロックが蓋板の開けとともに移動し、小分けボトルを押し動かして上に移動させ、小分けボトルを外部に出し、正確に取りたい小分けボトルを取ることができ、水出し機構の中に押し動かし板にを押し動かし、小分けボトルから流れ出た液体をきれいにクリーニングでき、普及価値がある。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の構成略図
【図２】図２は図１のＡ−Ａの断面構成略図
【図３】図３は図１のＢの拡大略図
【図４】図４は図１のＣの拡大略図
【発明を実施するための形態】
【００１３】
図１〜４を参照し、本発明の小分けボトル貯蔵設備は、箱５７を含み、前記箱５７の中には移動チャンバ３０が設けられ、前記移動チャンバ３０の中には小分けボトル５８を移動連動させることができる移動機構７０が設けられ、前記移動機構７０の上方には小分けボトル５８を固定できる固定機構１００が設けられ、前記固定機構１００の中には固定チャンバ３１が設けられ、前記固定チャンバ３１の底壁の中には引っ掛かり溝４７が連通するように設けられ、前記引っ掛かり溝４７の左側にはバネチャンバ４６が連通するように設けられ、前記固定機構１００の右側にはロック機構８０が設けられ、前記ロック機構８０の中には挿し板３５が設けられ、前記挿し板３５の中には挿し溝３２が設けられ、前記移動チャンバ３０の下方には液体を流れ出させる水出し機構９０が設けられ、前記水出し機構９０の中には出し孔５３が設けられ、前記出し孔５３の左側には位置制限溝５０が連通するように設けられ、前記出し孔５３の右側には押し動かしチャンバ５４が連通するように設けられる。
【００１４】
有益的には、前記移動機構７０は前記移動チャンバ３０の前後内壁の間に回転できるように取り付けられた第二伝動ロッド２８を含み、前記移動チャンバ３０の後側には伝動チャンバ４１が設けられ、前記伝動チャンバ４１と前記移動チャンバ３０との間には第一伝動ロッド２３が回転できるように取り付けられ、前記第一伝動ロッド２３と前記第二伝動ロッド２８とには連結板２１が固定的に取り付けられ、前記連結板２１の前側端面には移動ロッド２２が回転できるように取り付けられ、左右両側の前記移動ロッド２２の間には連結ロッド２５が固定的に取り付けられ、前記連結板２１の後側端面には押しロッド２４が回転できるように取り付けられ、前記押しロッド２４には平行移動ブロック２０が固定的に取り付けられ、前記移動チャンバ３０の左右内壁にはスライドレール１８が固定的に取り付けられ、左右両側の前記スライドレール１８の間にはスライド箱１９がスライドできるように取り付けられ、前記スライド箱１９の中には下方に開口した平行移動溝２７が設けられ、前記平行移動溝２７の上方にはスライド溝２６が連通するように設けられ、前記平行移動ブロック２０が前記平行移動溝２７に対してスライドできるように連結され、前記スライド溝２６の中にはスライドブロック２９がスライドできるように取り付けられ、前記スライドブロック２９と前記平行移動ブロック２０とが固定的に連結され、前記第一伝動ロッド２３の後側端面には第二歯車４４が固定的に取り付けられ、前記箱５７の左上側には回転チャンバ４５が設けられ、前記回転チャンバ４５と前記伝動チャンバ４１との間には回転ロッド４０が回転できるように取り付けられ、前記回転ロッド４０の後側端面には第一歯車４２が固定的に取り付けられ、前記第一歯車４２と前記第二歯車４４との間にはチェーン４３が伝動できるように取り付けられ、前記回転ロッド４０には回転ブロック３９が固定的に取り付けられ、前記箱５７の左側端面と右側端面との間には引きベルト１５が固定的に取り付けられ、これにより回転ブロック３９を回転させて回転ロッド４０を回転連動させ、回転ロッド４０が回転して第一歯車４２を回転連動させ、第一歯車４２がチェーン４３の伝動により第二歯車４４を回転連動させ、第二歯車４４が回転して第一伝動ロッド２３を回転連動させ、第一伝動ロッド２３が回転して連結ロッド２５を移動連動させ、平行移動ブロック２０とスライドブロック２９を押し動かして上に移動させる。
【００１５】
有益的には、前記固定機構１００は前記スライド箱１９の中に設けられた上方に開口した固定チャンバ３１を含み、前記バネチャンバ４６の中には引っ掛かりブロック４８がスライドできるように取り付けられ、前記引っ掛かりブロック４８の左側端面と前記バネチャンバ４６の左側内壁との間には第一バネ４９が固定的に取り付けられ、前記スライド箱１９の頂部端面にはフォームボード１７が固定的に取り付けられ、前記フォームボード１７の中には抜き穴１６が設けられ、これにより小分けボトル５８が抜き穴１６を経由して固定チャンバ３１に入り、引っ掛かり溝４７の中で引っ掛かりブロック４８を左へ押し動かして移動させ、第一バネ４９により小分けボトル５８を押して固定する。
【００１６】
有益的には、前記ロック機構８０は前記箱５７の右側端面に固定的に取り付けられた制限ブロック３３を含み、前記制限ブロック３３の右側端面にはねじりブロック３４が回転できるように取り付けられ、前記回転ブロック３９の頂部端面には蓋板１４が固定的に取り付けられ、前記蓋板１４の中には下方に開口した蓋板チャンバ１２が設けられ、前記蓋板チャンバ１２の頂壁の中には仕切り溝１３が設けられ、前記蓋板１４の頂部端面には押しブロック１１が固定的に取り付けられ、前記蓋板１４の右側端面には補助ブロック３７が前後に対称的に固定的に取り付けられ、前記補助ブロック３７の間には補助ロッド３６が回転できるように取り付けられ、前記挿し板３５が前記補助ロッド３６に固定的に取り付けられ、これにより挿し板３５を回転させ、挿し溝３２が制限ブロック３３によりねじりブロック３４を回転させ、蓋板１４をロックする。
【００１７】
有益的には、前記水出し機構９０は前記位置制限溝５０と前記押し動かしチャンバ５４との間にスライドできるように取り付けられた押し動かし板５６を含み、前記押し動かし板５６の右側端面と前記押し動かしチャンバ５４の右側内壁との間には第二バネ５５が固定的に取り付けられ、前記押し動かし板５６の底部端面には動かしブロック５１が固定的に取り付けられ、前記動かしブロック５１の中には下方に開口した動かし溝５２が設けられ、これにより動かしブロック５１を動かし、動かし板５６を右へ移動連動させ、液体が出し孔５３から流れ出ることができる。
【００１８】
使用する時、手動で押しブロックを使用して蓋板１４を開け、蓋板１４が回転ブロック３９を回転連動させ、回転ブロック３９が回転して回転ロッド４０を回転連動させ、回転ロッド４０が回転して第一歯車４２を回転連動させ、第一歯車４２がチェーン４３の伝動により第二歯車４４を回転連動させ、第二歯車４４が回転して第一伝動ロッド２３を回転連動させ、第一伝動ロッド２３が回転して連結ロッド２５を移動連動させ、平行移動ブロック２０とスライドブロック２９を押し動かして上に移動させ、スライド箱１９を上へ移動させ、小分けボトル５８が抜き穴１６を経由して固定チャンバ３１に入り、引っ掛かり溝４７の中で引っ掛かりブロック４８を左へ押し動かして移動させ、第一バネ４９により小分けボトル５８を押して固定し、挿し板３５を回転させ、挿し溝３２が制限ブロック３３によりねじりブロック３４を回転させ、蓋板１４をロックし、小分けボトルに液体が流れ出る時、動かしブロック５１を動かし、動かし板５６を右へ移動連動させ、液体が出し孔５３から流れ出ることができ、引きベルト１５を使用して設備を持ち上げることができる。
【００１９】
本発明の有益効果は、本発明は構造が簡単で、操作が便利であり、固定機構の中の引っ掛かりブロックが第一バネにより小分けボトルを固定し、小分けボトルが抜き穴により、小分けボトルが携帯されるときに揺れないことを保証し、移動機構の中の平行移動ブロックが蓋板の開けとともに移動し、小分けボトルを押し動かして上に移動させ、小分けボトルを外部に出し、正確に取りたい小分けボトルを取ることができ、水出し機構の中に押し動かし板にを押し動かし、小分けボトルから流れ出た液体をきれいにクリーニングでき、普及価値がある。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。